(57)【特許請求の範囲】
【請求項１】
給湯水を蓄える貯湯槽（１１）と、
前記貯湯槽（１１）内に配設される熱交換器（１３）と、
前記熱交換器（１３）に浴槽（１）内の浴水を循環させる浴水保温手段（１２）と、
前記浴水保温手段（１２）に接続され、前記熱交換器（１３）を迂回する迂回手段と、
前記浴槽（１）内の浴水を前記熱交換器（１３）に流通させる流量と、前記浴槽（１）内の浴水を前記迂回手段に流通させる流量とを可変する切換手段（１６）と、
前記浴水保温手段（１２）のうち、前記熱交換器（１３）の下流側部位と前記迂回手段との接続部位よりも下流側を通過する浴水の温度を検出する水温検出手段（１９）と、
前記水温検出手段（１９）により検出された温度に応じて前記切換手段（１６）を制御する保温制御手段（４０）とを有し、
前記保温制御手段（４０）は、浴水を保温する保温運転開始のときに、前記熱交換器（１３）を流通させた浴水に前記浴槽（１）内の浴水を混合させることを特徴とする貯湯式給湯器。
【請求項２】
前記保温制御手段（４０）は、浴水を保温する保温運転開始のときに、前記熱交換器（１３）側に流通する流量が前記熱交換器（１３）を迂回する側の流量よりも小さくなるように前記切換手段（１６）を制御することを特徴とする請求項１に記載の貯湯式給湯器。
【請求項３】
前記保温制御手段（４０）は、前記水温検出手段（１９）により検出された水温が所定温度を超えないように前記切換手段（１６）を制御することを特徴とする請求項１に記載の貯湯式給湯器。
【請求項４】
前記保温制御手段（４０）は、所定温度として６０℃を超えないように前記切換手段（１６）を制御することを特徴とする請求項３に記載の貯湯式給湯器。
【請求項５】
給湯水を蓄える貯湯槽（１１）と、
前記貯湯槽（１１）内に配設される熱交換器（１３）と、
前記熱交換器（１３）に浴槽（１）内の浴水を循環させる浴水保温手段（１２）と、
前記浴水保温手段（１２）に接続され、前記熱交換器（１３）を迂回する迂回手段と、
前記浴槽（１）内の浴水が前記熱交換器（１３）を流通するか、前記浴槽（１）内の浴水が前記迂回手段を流通するかを切り換える切換手段（１６）と、
前記浴水保温手段（１２）のうち、前記熱交換器（１３）の下流側部位と前記迂回手段との接続部位よりも下流側を通過する浴水の温度を検出する水温検出手段（１９）と、
前記水温検出手段（１９）により検出された温度に応じて前記切換手段（１６）を制御する保温制御手段（４０）とを有し、
前記保温制御手段（４０）は、浴水を保温する保温運転開始のときに、浴水が前記熱交換器（１３）を流通するように前記切換手段（１６）を切り換えるとともに、前記熱交換器（１３）を流通する循環量が所定値以下となるように制御することを特徴とする貯湯式給湯器。
【請求項６】
前記保温制御手段（４０）は、前記熱交換器（１３）側に流通させる循環量を所定値として８Ｌ／ｍｉｎを超えないように前記切換手段（１６）を制御することを特徴とする請求項５に記載の貯湯式給湯器。
【請求項７】
前記浴水保温手段（１２）には、前記浴槽（１）内の浴水を循環させる循環ポンプ（１４）が設けられ、
前記保温制御手段（４０）は、前記熱交換器（１３）側に流通させる循環量を所定値として８Ｌ／ｍｉｎを超えないように前記循環ポンプ（１４）を制御することを特徴とする請求項５に記載の貯湯式給湯器。
【請求項８】
給湯水を蓄える貯湯槽（１１）内に熱交換器（１３）を配設させ、前記熱交換器（１３）に浴槽（１）内の浴水を循環させて浴水を保温する浴水保温手段（１２）を備える貯湯式給湯器の浴水保温装置において、
前記浴水保温手段（１２）は、前記浴槽（１）内の浴水を前記熱交換器（１３）を流通させるか、前記熱交換器（１３）を迂回させるかの流通方向の切り換えをする切換手段（１６）と、
前記熱交換器（１３）の上流側に配設され前記熱交換器（１３）内の圧力が低下したときに大気と開放する開閉手段（２５）と、
浴水を保温する保温運転が終了したときに、前記切換手段（１６）を前記熱交換器（１３）を迂回する側に流通方向を切り換えるとともに、前記開閉手段（２５）を開放するように制御する保温制御手段（４０）とを具備することを特徴とする貯湯式給湯器の浴水保温装置。
【請求項９】
前記貯湯槽（１１）から出湯する給湯通路（２０）を有することを特徴とする請求項１ないし請求項７のいずれか一項に記載の貯湯式給湯器。
【発明の詳細な説明】
【０００１】
【発明の属する技術分野】
本発明は、給湯水を蓄える貯湯槽内の熱源を用いて浴槽内の浴水を保温する貯湯式給湯器および貯湯式給湯器の浴水保温装置に関するものであって、特に保温運転時に高温の浴水が浴槽内に流出することを抑制させる浴水保温手段の制御に関する。
【０００２】
【従来の技術】
従来、この種の貯湯式給湯器の浴水保温装置として、例えば図７に示すように、電気温水器などの給湯手段１００により加熱された給湯水を蓄える貯湯槽１１０と、この貯湯槽１１０内に配設され高温の給湯水と浴槽１２０内の浴水を熱交換する熱交換器１３０と、浴水を浴槽１２０内から汲み上げて循環させる循環ポンプ１４０を有し浴槽１２０内の浴水を熱交換器１３０に循環させて浴槽１２０内に戻す循環水回路１５０などから構成されている。
【０００３】
また、浴槽１２０内の浴水の水温を検出する水温検出手段（図示せず）が設けられ、浴槽１２０内の浴水の水温が低下したときに、循環ポンプ１４０を作動させて浴槽１２０内の浴水を熱交換器１３０に流通させて浴水を保温するようになっている。
【０００４】
【発明が解決しようとする課題】
ところが、上記構成の貯湯式給湯器の浴水保温装置によれば、循環ポンプ１４０が停止しているときには、熱交換器１３０内に滞留している浴水が、貯湯槽１００内に蓄えられた給湯水と同程度の高温（例えば、８０から９０℃）の浴水となっている。
【０００５】
そして、保温運転のときに循環ポンプ１４０を作動させると、運転開始直後の暫くの間に、少量であるが上述した熱交換器１３０内に滞留していた高温の浴水が浴槽１２０内に流出されるときがある。もしこのときに入浴者が入浴していると、高温の浴水の流出によって一時的に熱過ぎるなどの不快を招く問題がある。
【０００６】
そこで、本発明の目的は、上記点に鑑みてなされたもので、保温運転開始時に所定時間の間には浴槽内に流出する浴水の温度または流速を緩和する保温制御手段を設けることで、不快を招くことのない貯湯式給湯器および貯湯式給湯器の浴水保温装置を提供することにある。
【０００７】
【課題を解決するための手段】
上記目的を達成するため、請求項１ないし請求項９に記載の技術的手段を採用する。すなわち、請求項１に記載の発明では、給湯水を蓄える貯湯槽（１１）と、この貯湯槽（１１）内に配設される熱交換器（１３）と、この熱交換器（１３）に浴槽（１）内の浴水を循環させる浴水保温手段（１２）と、この浴水保温手段（１２）に接続され、熱交換器（１３）を迂回する迂回手段と、浴槽（１）内の浴水を熱交換器（１３）に流通させる流量と、浴槽（１）内の浴水を迂回手段に流通させる流量とを可変する切換手段（１６）と、浴水保温手段（１２）のうち、熱交換器（１３）の下流側部位と迂回手段との接続部位よりも下流側を通過する浴水の温度を検出する水温検出手段（１９）と、この水温検出手段（１９）により検出された温度に応じて切換手段（１６）を制御する保温制御手段（４０）とを有し、
保温制御手段（４０）は、浴水を保温する保温運転開始のときに、熱交換器（１３）を流通させた浴水に浴槽（１）内の浴水を混合させることを特徴としている。
【０００８】
請求項１に記載の発明によれば、熱交換器（１３）内の浴水は保温運転が停止しているとき、つまり浴水が熱交換器（１３）内に停滞しているときに貯湯槽（１１）内の給湯水と同程度の水温に加熱され、保温運転のときに、浴槽（１）内に開始直後の暫くの間、例えば８０〜９０℃の高温の浴水として少量流出されるものである。
【０００９】
そこで、本発明では、保温運転開始のときに、熱交換器（１３）を流通させた浴水に浴槽（１）内の浴水を混合させるように切換手段（１６）を制御する保温制御手段（４０）とを有することにより、例えば、約４０℃前後の浴槽（１）内の浴水を混合させることで、浴槽（１）内に流出される浴水の水温を緩和させるとともに浴水を保温できる。これにより、一時的に熱過ぎるなどの不快を招くことはない。
【００１０】
請求項２に記載の発明では、保温制御手段（４０）は、浴水を保温する保温運転開始のときに、熱交換器（１３）側に流通する流量が熱交換器（１３）を迂回する側の流量よりも小さくなる所定流量以下となるように切換手段（１６）を制御することを特徴としている。
【００１１】
請求項２に記載の発明によれば、熱交換器（１３）を迂回する側の浴水が熱交換器（１３）内に滞留された浴水と混合されるので、熱交換器（１３）を迂回する側の流量を多量にすることで、浴槽（１）内に流出される浴水の水温を緩和させることができる。
【００１２】
請求項３に記載の発明では、保温制御手段（４０）は、水温検出手段（１９）により検出された水温が所定温度を超えないように切換手段（１６）を制御することを特徴としている。
【００１３】
請求項３に記載の発明によれば、浴槽（１）内に流出される浴水の水温を水温検出手段（１９）により検出し、その水温に応じて例えば切換手段（１６）の開度をフィードバックする制御をすることで、所定温度を維持することができる。これにより、所定温度を超えない浴水を流出できる。
【００１４】
請求項４に記載の発明では、保温制御手段（４０）は、所定温度として６０℃を超えないように切換手段（１６）を制御することを特徴としている。
【００１５】
請求項４に記載の発明によれば、また、所定温度として６０℃を超えないように制御することにより、例えば浴槽（１）内の浴水の水温が約４０℃のときであれば、この６０℃を超えなければ一時的に熱過ぎるなどの不快を招くことはない。
【００１６】
請求項５に記載の発明では、給湯水を蓄える貯湯槽（１１）と、この貯湯槽（１１）内に配設される熱交換器（１３）と、この熱交換器（１３）に浴槽（１）内の浴水を循環させる浴水保温手段（１２）と、この浴水保温手段（１２）に接続され、熱交換器（１３）を迂回する迂回手段と、浴槽（１）内の浴水が熱交換器（１３）を流通するか、浴槽（１）内の浴水が迂回手段を流通するかを切り換える切換手段（１６）と、浴水保温手段（１２）のうち、熱交換器（１３）の下流側部位と迂回手段との接続部位よりも下流側を通過する浴水の温度を検出する水温検出手段（１９）と、この水温検出手段（１９）により検出された温度に応じて切換手段（１６）を制御する保温制御手段（４０）とを有し、
保温制御手段（４０）は、浴水を保温する保温運転開始のときに、浴水が熱交換器（１３）を流通するように切換手段（１６）を切り換えるとともに、熱交換器（１３）を流通する循環量が所定値以下となるように制御することを特徴としている。
【００１７】
請求項５に記載の発明によれば、例えば浴槽（１）内に流出される浴水が高温であっても、浴槽（１）内の吐出口から流出される流速が十分に低ければ流出口近傍で水温が緩和され一時的に熱過ぎになるほどの水温にならない。そこで、本発明は、上記流速を低下させることに着目したもので、切換手段（１６）を熱交換器（１３）側に流通させる循環量を所定値以下となるように制御するにより、浴槽（１）内に流出される浴水の水温を緩和させることができ、かつ一時的に熱過ぎるなどの不快を招くことはない。
【００１８】
請求項６に記載の発明では、保温制御手段（４０）は、熱交換器（１３）側に流通させる循環量を所定値として８Ｌ／ｍｉｎを超えないように切換手段（１６）を制御することを特徴としている。
【００１９】
請求項６に記載の発明によれば、具体的には、循環量の所定値として８Ｌ／ｍｉｎを超えないように制御することにより、浴槽（１）内に流出される浴水の水温を緩和させることができる。
【００２０】
請求項７に記載の発明では、浴水保温手段（１２）には、浴槽（１）内の浴水を循環させる循環ポンプ（１４）が設けられ、保温制御手段（４０）は、熱交換器（１３）側に流通させる循環量を所定値として８Ｌ／ｍｉｎを超えないように循環ポンプ（１４）を制御することを特徴としている。
【００２１】
請求項７に記載の発明によれば、例えば、循環ポンプ（１４）に印加する電圧を可変させるなどの制御をすることにより、循環量を低下できる。これにより、請求項５と同じ効果を奏する。
【００２２】
請求項８に記載の発明では、給湯水を蓄える貯湯槽（１１）内に熱交換器（１３）を配設させ、熱交換器（１３）に浴槽（１）内の浴水を循環させて浴水を保温する浴水保温手段（１２）を備える貯湯式給湯器の浴水保温装置において、
浴水保温手段（１２）は、浴槽（１）内の浴水を熱交換器（１３）を流通させるか、熱交換器（１３）を迂回させるかの流通方向の切り換えをする切換手段（１６）と、熱交換器（１３）の上流側に配設され熱交換器（１３）内の圧力が低下したときに大気と開放する開閉手段（２５）と、浴水を保温する保温運転が終了したときに、切換手段（１６）を熱交換器（１３）を迂回する側に流通方向を切り換えるとともに、開閉手段（２５）を開放するように制御する保温制御手段（４０）とを具備することを特徴としている。
【００２３】
請求項８に記載の発明によれば、熱交換器（１３）内の浴水は循環ポンプ（１４）が停止しているとき、つまり浴水が停滞しているときに貯湯槽（１１）内の給湯水と同程度の水温に加熱される。この高温の浴水が保温運転のときに浴槽（１）内に流出される。そこで、本発明では、保温運転が終了したときに、切換手段（１６）を熱交換器（１３）を迂回する側に流通方向を切り換えるとともに、開閉手段（２５）を開放するように制御する保温制御手段（４０）とを有することにより、熱交換器（１３）内の浴水を浴槽（１）内に流出させて、熱交換器（１３）内を空にしておくため、保温運転開始のときに高温の浴水が流出されることがない。
請求項９に記載の発明では、貯湯槽（１１）から出湯する給湯通路（２０）を有することを特徴としている。この発明によれば、貯湯槽（１１）内に配設される熱交換器（１３）内の浴水は保温運転停止しているときに、高温の給湯水と同程度に加熱されているため、給湯通路（２０）から給湯用として出湯する給湯水を熱源とする浴水保温装置において好適である。
【００２４】
なお、上記各手段に付した括弧内の符号は、後述する実施形態記載の具体的手段との対応関係を示す。
【００２５】
【発明の実施の形態】
（第１実施形態）
以下、本発明を適用した第１実施形態の貯湯式給湯器の浴水保温装置を図１および図２に基づいて説明する。図１は、貯湯式給湯器の浴水保温装置１０の概略構成を示す模式図である。
【００２６】
貯湯式給湯器の浴水保温装置１０は、図１に示すように、図示しないヒートポンプ装置もしくは電気ヒータ等の給湯手段３０により加熱された給湯水を貯湯槽１１内に蓄えて、この蓄えられた高温の給湯水を例えば水道水と混合させて適温にして給湯対象に給湯するものであって、特に適温にさせた給湯水を浴槽１内へのお湯張り、差し湯、たし湯、差し水などに供したり、貯湯槽１１内の給湯水の熱量を用いてお湯張りされた浴槽１内の浴水を保温する浴水保温手段である循環水回路１２を備えている。
【００２７】
貯湯式給湯器の浴水保温装置１０は、浴室近傍の屋外適所に配置され、１は浴槽であり浴室内に設置されている。浴槽１の内壁面下端部近傍には浴槽１内の浴水を吸い込む吸入口２と、浴槽１内に湯を吐出する吐出口３が設けられている。１２は循環水回路であり、その両端は、吸入口２と吐出口３とに接続しており、浴槽１内の浴水を浴槽１外の外部に循環できるように設けられている。
【００２８】
この循環水回路１２には、貯湯槽１１内に配設される熱交換器１３を有している。この熱交換器１３は、貯湯槽１１内の給湯水を熱源として浴槽１内の浴水を流通させて浴水を加温するものである。
【００２９】
そして、循環水回路１２に設けられた循環ポンプ１４を作動させることで、浴槽１内の浴水を熱交換器１３に流通させて加温された浴水が吐出口３から浴槽１内に戻される。なお、この循環ポンプ１４は、ハウジング内のインペラを回転させることにより浴水を圧送するタイプの電動ポンプを用いている。
【００３０】
また、吸入口２の下流に、循環水回路１２を流通する浴水の水温を検出するための第１水温センサ１５が設けられている。
【００３１】
また、循環水回路１２には、浴槽１内の浴水を熱交換器１３側に流通させる流量と熱交換器１３を迂回させる側に流通させる流量とを可変させて切り換えをする切換手段である切換調整弁１６が熱交換器１３の上流側に設けられている。
【００３２】
この切換調整弁１６は、三方弁ならなるものであって、流入側が循環ポンプ１４の下流側に接続させて循環ポンプ１４により浴槽１内の浴水が流入される。そして、流出側の一方が熱交換器１３の上流に接続され、流出側のもう一方が熱交換器１３を迂回する熱交換器１３の下流の分岐点１７に接続されている。
【００３３】
ここで、本実施形態の切換調整弁１６は、流入側から流入された浴水を熱交換器１３側に流通させる流量と、熱交換器１３を迂回させる側に流通させる流量とを可変するように流量制御される。ここでは、因みに熱交換器１３側に流通させる流量が１００％（このときには、熱交換器１３を迂回させる流量が０％となる。）、逆に熱交換器１３を迂回させる流量が１００％（このときには、熱交換器１３側に流通させる流量が０％となる。）および熱交換器１３側に流通させる流量が５０％（このときには、熱交換器１３を迂回させる流量が５０％となる。）のいずれかを選択するようにしている。
【００３４】
なお、この流量制御において、熱交換器１３に全流量を流通させるときが浴水を加温させるのが最大であり、熱交換器１３側および熱交換器１３を迂回させる側が半々のときには熱交換器１３で加温された浴水に浴槽１内の浴水と混合させて高温の浴水の水温を緩和させる。従って、熱交換器１３側に流通させる流量を、熱交換器１３を迂回する流量よりも少なくすることで、熱交換器１３から流出される浴水の水温をより緩和させることができる。
【００３５】
また、熱交換器１３を迂回させる側が全流量のときは、浴槽１内の浴水を循環させることで浴槽１内の浴水を攪拌させて浴水の水温を検出するときに制御される。
【００３６】
切換調整弁１６および循環ポンプ１４は、保温制御手段である浴水保温制御プログラムを有する制御装置４０（後述する）に電気的に接続されて制御される。また、この制御装置４０には、第１水温センサ１５により検出された検出信号および自動保温をさせるための運転スイッチ（図示せず）の操作信号が入力され、この検出信号、操作信号に基づいて切換調整弁１６、循環ポンプ１４を制御させて保温運転を実行する。
【００３７】
また、循環水回路１２の切換調整弁１６と循環ポンプ１４との間に形成される分岐点１８には、上流端が貯湯槽１１に接続された給湯通路２０と接続されて、浴槽１内へのお湯張り、差し湯、たし湯および差し水するための給湯水が分岐点１８から供給されるように構成されている。
【００３８】
そして、給湯通路２０内には、湯水混合手段である湯水混合弁２１および給湯通路２０を開閉する開閉弁２２が設けられている。湯水混合弁２１は、一方が水道水が供給される給水配管２３に接続され、もう一方が貯湯槽１１内の高温の給湯水側に接続されて、水道水の水温と給湯水の水温の温度情報に基づいて開口面積比を調節することにより、貯湯槽１１から流出された高温の給湯水と給水配管２３から導入された水道水との混合比率を調節して給湯通路２０に温度調節された給湯水を流通させるようになっている。
【００３９】
湯水混合弁２１および開閉弁２２は制御装置４０により制御される。なお、開閉弁２２は、図示しない操作スイッチの操作信号により、例えばお湯張り、差し湯、たし湯および差し水のときに、制御装置４０により開口が制御されて浴槽１内に給湯水が導入される。また、このときは切換調整弁１６は、熱交換器１３を迂回する流通方向に切り換えられ上記給湯水が吐出口３から浴槽１内に導入される。
【００４０】
ここでは、貯湯槽１１は、給湯手段３０より供給された高温の給湯水を内部に蓄えたものであったが、給水配管２３から水道水等を導入し貯湯槽１１内で電気ヒータ等により加熱して高温の給湯水として蓄えるものであってもよい。
【００４１】
また、ここでは、切換調整弁１６の流量制御を熱交換器１３に流通させる流量が１００％、５０％および０％の中から選択するようにしたが、特に５０％の実数値は例示であって貯湯槽１１内に蓄えられる高温の給湯水の温度によって適宜設定する。
【００４２】
次に、以上の構成による浴水保温手段の作動を保温制御手段である保温制御プログラムを有する制御装置４０による制御処理を図２に示すフローチャートに基づいて説明する。
【００４３】
まず、浴槽１内の浴水を保温制御するためには、図示しない自動お湯張りスイッチを操作させて上述した湯水混合弁２１および開閉弁２２を制御して、給湯通路２０から設定温度に温度調節された給湯水が浴槽１内に導入され、かつ所定の水位レベル以上の浴水が浴槽１内にお湯張りされている状態であって、このときに、自動保温運転をさせる運転スイッチ（図示せず）がＯＮされていると、自動保温運転の操作信号が制御装置４０に入力されている。
【００４４】
これにより、ステップ２００にて自動保温運転が開始される。ステップ２１０で、第１所定時間ｔ１（例えば、１０分）を計測するタイマｔ１をスタートさせる。そして、ステップ２２０で、タイマーｔ１が第１所定時間ｔ１だけタイムアップしたかを判定し、タイムアップしたと判定すれば、ステップ２３０で、切換調整弁１６を熱交換器１３を迂回させる側に全流量が流通する流通方向に切り換えられる。なお、ステップ２２０で否と判定されれば、タイムアップするまで計時が継続される。この第１所定時間ｔ１は、保温運転が実行しているときに浴水の水温を検出するための間隔時間である。
【００４５】
そして、ステップ２４０で循環ポンプ１４を作動させる。これにより、浴槽１内の浴水が熱交換器１３を迂回する流通通路で流通されて浴槽１内の浴水が攪拌される。
【００４６】
次に、ステップ２５０で、第２所定時間ｔ２（例えば、２分）を計測するタイマｔ２をスタートさせる。そして、ステップ２６０で、タイマーｔ２が第２所定時間ｔ２だけタイムアップしたかを判定し、タイムアップしたと判定すれば、ステップ２７０で、第１水温センサ１５により検出された水温（ここでは、水温Ｔ１＋１℃）が設定温度よりも未達か否かを判定する。
【００４７】
設定温度に達しておれば保温運転を継続させる必要ないためステップ３３０に移行して循環ポンプ１４を停止させる。逆に、水温が設定温度に対して未達であれば、次のステップ２８０において、切換調整弁１６を熱交換器１３側に流通させる流量が５０％（このときには、熱交換器１３を迂回させる流量が５０％となる。）となる流通に切り換える。
【００４８】
これにより、熱交換器１３内に滞留している浴水の水温は貯湯槽１１内の給湯水（８０〜９０℃）とほぼ同程度の高温の浴水になっているが、この高温の浴水に約４０℃程度の浴槽１内の浴水を混合させることで、吐出口３から流出される浴水は６０℃以下に低下される。
【００４９】
また、上述の高温の浴水は貯湯槽１１内に配設させた熱交換器１３内に収容された量のみであるため短時間で浴槽１内に送り出されてしまう。そこで、本発明では、この送り出しの時間を第３所定時間ｔ３（例えば、１分）と設定して、次のステップ２９０で、第３所定時間ｔ３（例えば、１分）を計測するタイマｔ３をスタートさせる。
【００５０】
なお、ここでは、熱交換器１３内に収容された高温の浴水を浴槽１内に送り出すために、第３所定時間ｔ３を設け、この第３所定時間ｔ３の間、ステップ２８０の作動を継続させたが、これに限らず、熱交換器１３の出口側に浴水温度を検知する温度センサを設け、熱交換器１３の出口水温が所定温度に達するまでステップ２８０の作動を継続させても良い。
【００５１】
そして、ステップ３００で、タイマーｔ３が第３所定時間ｔ３だけタイムアップしたかを判定し、タイムアップしたと判定すれば、ステップ３１０で、切換調整弁１６を熱交換器１３側に全流量を流通させるように切り換える。
【００５２】
これにより、浴槽１内の浴水が熱交換器１３に流通されて加温される。そして、次のステップ３２０において水温Ｔ１が設定温度を超えたか否かを判定させて、設定温度を超えれば、循環ポンプ１４を停止させる（ステップ３３０）。
【００５３】
以上の第１実施形態の貯湯式給湯器の浴水保温装置によれば、熱交換器１３内の浴水は保温運転が停止しているとき、つまり浴水が熱交換器１３内に停滞しているときには、貯湯槽１１内の給湯水と同程度の水温に加熱されて保温運転のときに、浴槽１内に保温運転開始直後の暫くの間、例えば８０〜９０℃の高温の浴水として少量流出されるものである。
【００５４】
そこで、本発明では、第３所定時間ｔ３の間、熱交換器１３を流通させた浴水に浴槽１内の浴水を混合させるように切換調整弁１６を制御する制御装置４０とを有することにより、例えば、約４０℃前後の浴槽１内の浴水を熱交換器１３内の高温の浴水に混合させることで、浴槽１内に流出される浴水の水温を緩和させることができる。これにより、吐出口から流出する浴水による一時的に熱過ぎるなどの不快を招くことはない。
【００５５】
また、熱交換器１３を迂回する側の浴水が熱交換器１３内に滞留された浴水と混合されるので、熱交換器１３を迂回する側の流量を多量にすることで、浴槽１内に流出される浴水の水温を緩和させることができる。
【００５６】
また、熱交換器１３に流通させる所定流量を５０％超えないように、例えば切換調整弁１６の開度を制御することにより、熱交換器１３を迂回する側の流量が５０％を超える流量にすることで、浴槽１内に流出される浴水の水温を緩和させることができる。
【００５７】
（第２実施形態）
以上の第１実施形態では、切換手段である切換調整弁１６の流量制御を熱交換器１３側および熱交換器１３を迂回させる側の流量をそれぞれ例えば５０％と固定させたが、これに限らず、熱交換器１３を流通させた高温の浴水と浴槽１内の浴水とを混合させた浴水の水温を検出し、この水温をフィードバックさせてそれぞれに流通させる流量比を可変させて所定温度を超えないように制御装置４０により制御させるようにしても良い。
【００５８】
具体的には、図３に示すように、分岐点１７と吐出口３との間に混合された浴水の水温を検出する水温検出手段である第２温度センサ１９が設けられている。
【００５９】
そして、この第２温度センサ１９の検出信号は制御装置４０に入力されている。
【００６０】
一方の切換手段である切換調整弁１６は、保温運転開始時に第３所定時間ｔ３の間は、第２温度センサ１９により検出された混合後の水温に応じて熱交換器１３側に流通させる流量と熱交換器１３を迂回させる側の流量との流量比が可変させるように制御されるようにしてある。なお、図中の符号は、第１実施形態と構成が同じものは同一の符号を付して説明を省略する。
【００６１】
本実施形態では、所定温度を６０℃として設定し、この所定温度を超えたときには熱交換器１３側に流通させる流量を低下させ、熱交換器１３を迂回させる側の流量を上昇させるように制御させることにより、所定温度を下回る浴水を浴槽１内に流出させることが可能である。
【００６２】
以上の第２実施形態によれば、所定温度として、好ましくは６０℃を超えないように流量制御することにより、例えば、約４０℃の浴槽１内に６０℃を下回る浴水を流出させても吐出口３近傍で緩和されるため、一時的に熱過ぎるなどの不快を招くことはない。
【００６３】
また、第１実施形態よりも本実施形態の方が貯湯槽１１内の給湯水の温度変化があっても一定の所定温度を維持できる。
【００６４】
（第３実施形態）
以上の実施形態では、保温運転開始時に第３所定時間ｔ３の間は、切換調整弁１６を制御させて熱交換器１３を流通させた高温の浴水と浴槽１内の浴水とを混合させて浴槽１内に流出させる保温制御手段について説明したが、浴槽１に流出する浴水の流速を低下させることでも良い。
【００６５】
本実施形態では、因みに所定循環量として、好ましくは８Ｌ／ｍｉｎを超えないように流量制御することにより、例えば浴水の水温が約４０℃の浴槽１内に流出させると８Ｌ／ｍｉｎ相当の流速で流出されても高温（９０℃）の浴水が吐出口３近傍で緩和される。
【００６６】
これにより、切換手段である切換調整弁１６は、浴槽１内の浴水を熱交換器１３を流通させるか、または熱交換器１３を迂回させるかのいずれか一方に流通方向を切り換える周知の三方弁を用いることができる。従って、以上の第１、第２実施形態よりも切換調整弁１６の構造を簡単にすることができるので部品の製造コストが低減できる。
【００６７】
なお、浴槽１内に流出する浴水の流速を低下させる具体例とし、図４（ａ）および図４（ｂ）に示すように、保温運転開始時に第３所定時間ｔ３の間のみ循環ポンプ１４の循環量を低下させると良い。
【００６８】
図４（ａ）は、循環ポンプ１４に印加させる電源を所定時間毎にＯＮ、０ＦＦさせるように作動させて循環量を低下させるか、または、図４（ｂ）に示すように、循環ポンプ１４に印加させる電圧を可変させて循環量を低下させる方法がある。また、図示しないが、循環水回路１２に循環量を調節する流量弁を設けて保温運転開始時に第３所定時間ｔ３の間は、循環量を低下するように制御しても良い。
【００６９】
また、本実施形態では第３所定時間ｔ３の間は循環量を低下するように制御させたが、第２実施形態で設けた第２温度センサ１９により検出された水温に応じて熱交換器１３側に流通させる循環量を制御させて、浴槽１内に流出させる浴水の水温を所定温度（例えば、６０℃）となるように循環量を可変させる制御でも良い。
【００７０】
（第４実施形態）
以上の実施形態では、保温運転開始時に第３所定時間ｔ３の間は、熱交換器１３を流通させた高温の浴水に浴槽１内の浴水を混合させたり、流出される流速を低下させることで浴槽１内に流出する浴水を緩和させたが、これに限らず、保温運転終了時に熱交換器１３内に滞留する浴水を浴槽１内に流出させて、保温運転停止時には、熱交換器１３内に浴水を滞留させないように構成させても良い。
【００７１】
具体的には、図５に示すように、循環水回路１２の熱交換器１３の上流に分岐点２４設け、その分岐点２４と上方に延びる吸気管２６を設け、さらにこの吸気管２６を開閉する開閉手段２５を設ける。また、切換手段である切換調整弁１６は、第３実施形態と同じであって、浴槽１内の浴水を熱交換器１３を流通させるか、または熱交換器１３を迂回させるかのいずれか一方に流通方向を切り換える周知の三方弁を用いることができる。
【００７２】
また、上記開閉手段２５は制御装置４０により制御される。なお、図中の符号において、上述した切換調整弁１６以外の構成部品は、第１実施形態と構成が同じものは同一の符号を付して説明を省略する。
【００７３】
次に、本実施形態の保温運転の作動を図６に示す制御装置４０による制御処理のフローチャートに基づいて説明する。なお、図中の符号について、第１実施形態と同じ制御処理のものは同一の符号を付して説明は省略する。
【００７４】
まず、ステップ２００からステップ２７０までは第１実施形態と同様であって、ステップ２７０で、水温が設定温度に対して未達であれば、次のステップ２８１において、切換調整弁１６を熱交換器１３側に流通させる流通方向に切り換える。
【００７５】
このときには、後で述べるが熱交換器１３内には空気が収容されているため、熱交換器１３に浴槽１内の浴水を流通させることで吐出口３からは空気が流出されるとともに熱交換器１３によって加温された浴水が流出される。これにより、高温の浴水が流出することはない。従って、このときには設定温度に達するまで熱交換器１３に流通させて浴槽１内の浴水を流通させる。
【００７６】
そして、ステップ３２０で設定温度に達すると、次のステップ３２１で、切換調整弁１６を熱交換器１３を迂回させる側に流通する流通方向に切り換えられる。そして、ステップ３２２で開閉手段２５を開弁させ、ステップ３２３で、第４所定時間ｔ４を計測するタイマｔ４をスタートさせる。そして、ステップ３２４で、タイマーｔ４が第４所定時間ｔ４だけタイムアップしたかを判定し、タイムアップしたと判定すれば、ステップ３３０で循環ポンプ１４を停止させ、ステップ３３１で、開閉手段２５を閉弁させる。
【００７７】
これにより、第４所定時間ｔ４の間、開閉手段２５を開弁させて循環ポンプ１４を作動させることで、熱交換器１３内に吸気管２６より空気が流入されて熱交換器１３内の浴水が空となる。従って、次のサイクルのステップ２８１のときに高温の浴水が流出することはない。
【００７８】
以上の実施形態によれば、保温運転させて設定温度に達したときに、開閉手段２５を開弁させて循環ポンプ１４を作動させる制御を行なうことにより、保温運転終了時に熱交換器１３内の浴水を浴槽１内に流出させて、熱交換器１３内を空にしておくため、保温運転開始のときに高温の浴水が流出されることがない。
【００７９】
なお、本実施形態では、吸気管２６に開閉手段２５を用いたが、熱交換器１３内が負圧となったときに開弁する吸気弁を吸気管２６の末端に設けても良い。
【００８０】
（他の実施形態）
以上の実施形態では、温水を加熱する給湯手段をヒートポンプ装置もしくは電気ヒータ等として説明したが、これに限らず、太陽熱、ガス、液体燃料による給湯器や湯沸かし器などに適用される。また、水道水等を導入し、貯湯槽１１内で電気ヒータ等により加熱して高温の湯として蓄えるものであっても良い。
【００８１】
また、以上の実施形態において、各所定時間ｔ１、ｔ２、ｔ３、ｔ４の実数値は例示であって適宜設定し得るものである。
【図面の簡単な説明】
【図１】本発明の第１実施形態における貯湯式給湯器の浴水保温装置の概略構成を示す模式図である。
【図２】本発明の第１実施形態における制御装置４０の保温制御プログラムの制御処理を示すフローチャートである。
【図３】本発明の第２実施形態における貯湯式給湯器の浴水保温装置の概略構成を示す模式図である。
【図４】本発明の第３実施形態における循環ポンプ１４の（ａ）は、断続動作を示すタイムチャート、（ｂ）は、印加電圧を可変させたときの動作を示すタイムチャートである。
【図５】本発明の第４実施形態における貯湯式給湯器の浴水保温装置の概略構成を示す模式図である。
【図６】本発明の第４実施形態における制御装置４０の保温制御プログラムの制御処理を示すフローチャートである。
【図７】従来技術における貯湯式給湯器の浴水保温装置の概略構成を示す模式図である。
【符号の説明】
１…浴槽
１１…貯湯槽
１２…循環水回路（浴水保温手段）
１３…熱交換器
１４…循環ポンプ
１６…切換調整弁（切換手段）
１９…第２水温センサ（水温検出手段）
２５…開閉手段
４０…制御装置（浴水保温手段）
【図１】
0003888158.tif 000002
【図２】
0003888158.tif 000003
【図３】
0003888158.tif 000004
【図４】
0003888158.tif 000005
【図５】
0003888158.tif 000006
【図６】
0003888158.tif 000007
【図７】
0003888158.tif 000008